(57)【要約】【課題】水中において立体画像を取得するための手段を提供することを課題とする。【解決手段】例えば、デジタルカメラ４０等の立体画像撮影装置を水密に収容することができると共に収容した立体画像撮影装置を外側から操作することが可能な防水パック２０と該防水パックに着脱自在に装着される立体撮影アダプター３０とを備え、上記立体撮影アダプターは、複数の反射面３３、３４の組み合わせにより、右眼用画像Ｒ及び左眼用画像Ｌのうち少なくとも一方の画像を取り込むための光の光路を反射により変えることによって、視差を有する右眼用画像と左眼用画像の何れか一方を上記防水パック内に収容される立体画像撮影装置の撮像面４６の右半部に取り込み、他方を撮像面の左半部に取り込み得るようにしたものである。【選択図】　　　　　図１
2004109630.tif 000002
【特許請求の範囲】
【請求項１】
立体画像撮影装置を水密に収容することができると共に収容した立体画像撮影装置を外側から操作することが可能な防水パックと該防水パックに着脱自在に装着される立体撮影アダプターとを備え、
上記立体撮影アダプターは、複数の反射面の組み合わせにより、右眼用画像及び左眼用画像のうち少なくとも一方の画像を取り込むための光の光路を反射により変えることによって、視差を有する右眼用画像と左眼用画像の何れか一方を上記防水パック内に収容される立体画像撮影装置の撮像面の右半部に取り込み、他方を撮像面の左半部に取り込み得るようにしたものである
ことを特徴とする水中用立体撮影補助装置。
【請求項２】
上記立体撮影アダプターは２つの反射面を備え、左右一方の眼用画像の光を反射面に反射させること無しに撮像面の左右半部のうちの一方の半部に取り込み、上記２つの反射面を上記一方の眼用画像の光を挟んで対向配置すると共に、これら２つの反射面の角度及び位置を、他方の眼用画像の光を反射させて撮像面の他方の半部に取り込み得るように設定した
ことを特徴とする請求項１に記載の水中用立体撮影補助装置。
【請求項３】
上記立体撮影アダプターは上記２つの反射面の配列向きが左右対称となる２つの向きで上記防水パックに選択的に取り付け得る
ことを特徴とする請求項２に記載の水中用立体撮影補助装置。
【請求項４】
上記立体撮影アダプターの上記防水パックとの接合部が弾性材料で形成されていると共に、上記反射面は上記接合部より剛性の高い材料で形成された部分に設けられている
ことを特徴とする請求項１に記載の水中用立体撮影補助装置。
【請求項５】
上記立体撮影アダプターの上記防水パックとの接合部が弾性材料で形成されていると共に、上記反射面は上記接合部より剛性の高い材料で形成された部分に設けられている
ことを特徴とする請求項２に記載の水中用立体撮影補助装置。
【請求項６】
立体画像撮影装置を水密に収容することができると共に収容した立体画像撮影装置を外側から操作することが可能な防水パックに着脱自在に装着される立体撮影アダプターであって、
複数の反射面の組み合わせにより、右眼用画像及び左眼用画像のうち少なくとも一方の画像を取り込むための光の光路を反射により変えることによって、視差を有する右眼用画像と左眼用画像の何れか一方を上記防水パック内に収容される立体画像撮影装置の撮像面の右半部に取り込み、他方を撮像面の左半部に取り込み得るようにした
ことを特徴とする立体撮影アダプター。
【請求項７】
２つの反射面を備え、左右一方の眼用画像の光を反射面に反射させること無しに撮像面の左右半部のうちの一方の半部に取り込み、上記２つの反射面を上記一方の眼用画像の光を挟んで対向配置すると共に、これら２つの反射面の角度及び位置を、他方の眼用画像の光を反射させて撮像面の他方の半部に取り込み得るように設定した
ことを特徴とする請求項６に記載の立体撮影アダプター。
【請求項８】
上記２つの反射面の配列向きが左右対称となる２つの向きで上記防水パックに選択的に取り付け得る
ことを特徴とする請求項７に記載の立体撮影アダプター。
【請求項９】
上記防水パックとの接合部が弾性材料で形成されていると共に、上記反射面は上記接合部より剛性の高い材料で形成された部分に設けられている
ことを特徴とする請求項６に記載の立体撮影アダプター。
【請求項１０】
上記防水パックとの接合部が弾性材料で形成されていると共に、上記反射面は上記接合部より剛性の高い材料で形成された部分に設けられている
ことを特徴とする請求項７に記載の立体撮影アダプター。
【発明の詳細な説明】
【０００１】
【発明の属する技術分野】
本発明は新規な水中用立体撮影補助装置及び立体撮影アダプターに関する。詳しくは、水中における立体撮影を可能にする技術に関する。
【０００２】
【従来の技術】
水中で画像を取得するための補助装置、すなわち、静止画あるいは動画を取得することができるカメラを水密に収容すると共に外側からカメラの操作ができるようにした防水パックと称されるケースが提案されている。従って、上記したような防水パックを使用することにより水中において静止画や動画を取得することができる。
【０００３】
また、カメラの撮影レンズと被写体との間に介在されて、すなわち、カメラの撮影レンズの前側に取り付けられて右眼視点の画像と左眼視点の画像をカメラに取り込むことができるようにする立体撮影アダプターが提案されている。このような立体撮影アダプターを使用することによって、立体画像を取得することができる（例えば、特許文献１、特許文献２参照）。
【０００４】
現在において、静止画あるいは動画を撮影することができるカメラの普及は著しく、カメラ人口の増大と共に、水中において立体画像を撮影したいとの欲求は当然ながら大きくなりつつある。
【０００５】
【特許文献１】
特開平１０−３２２７２５号公報（第４ページ、図２、図３）
【特許文献２】
特開平１１−１４６４２４号公報（第３ページ、図２、図４、図６）
【０００６】
【発明が解決しようとする課題】
しかしながら、水中において立体画像を取り込むための装置等は未だ提案されていない。
【０００７】
そこで、例えば、カメラに立体撮影アダプターを取り付けた状態のまま防水パックに収容すれば、水中での立体画像の撮影が可能である。しかしながら、それでは防水パックが大型化してしまい、水中での取扱が困難になると言う問題がある。すなわち、防水パックが大型化すれば、防水パック内の多くの容積が空気によって占められているので、水中において大きな浮力を生じてしまうことになり、取扱に難儀をするという問題がある。
【０００８】
そこで、本発明は、水中において立体画像を取得するための手段を提供することを課題とする。
【０００９】
【課題を解決するための手段】
本発明水中用立体撮影補助装置は、上記した課題を解決するために、立体画像撮影装置を水密に収容することができると共に収容した立体画像撮影装置を外側から操作することが可能な防水パックと該防水パックに着脱自在に装着される立体撮影アダプターとを備え、上記立体撮影アダプターは、複数の反射面の組み合わせにより、右眼用画像及び左眼用画像のうち少なくとも一方の画像を取り込むための光の光路を反射により変えることによって、視差を有する右眼用画像と左眼用画像の何れか一方を上記防水パック内に収容される立体画像撮影装置の撮像面の右半部に取り込み、他方を撮像面の左半部に取り込み得るようにしたものである。
【００１０】
また、本発明立体撮影アダプターは、上記した課題を解決するために、立体画像撮影装置を水密に収容することができると共に収容した立体画像撮影装置を外側から操作することが可能な防水パックに着脱自在に装着される立体撮影アダプターであって、複数の反射面の組み合わせにより、右眼用画像及び左眼用画像のうち少なくとも一方の画像を取り込むための光の光路を反射により変えることによって、視差を有する右眼用画像と左眼用画像の何れか一方を上記防水パック内に収容される立体画像撮影装置の撮像面の右半部に取り込み、他方を撮像面の左半部に取り込み得るようにしたものである。
【００１１】
従って、本発明水中立体撮影補助具及び立体撮影アダプターにあっては、これらを使用することによって、水中において防水パック内に収容した立体画像撮影装置に立体画像を取り込むことができる。
【００１２】
【発明の実施の形態】
以下に、本発明水中用立体撮影補助装置及び立体撮影アダプターの実施の形態について添付図面を参照して説明する。
【００１３】
水中用立体撮影補助装置１０は防水パック２０と該防水パック２０に着脱自在に取り付けられる立体撮影アダプター３０とを備える。
【００１４】
防水パック２０は前ケース２１と後ケース２２とを主要部材として構成される。前ケース２０及び後ケース２２は共に透明な材料、例えば、透明なプラスチックスで形成される。前ケース２１は後ろに開口した凹部を有しており、従って、前ケース２１と後ケース２２が前後で突き合わせ状に結合されて、カメラを収容するための密閉空間２３が形成される。
【００１５】
前ケース２１の一方の側部に寄った位置には前方に突出した円筒状のレンズ配置部２１ａが形成され、該レンズ配置部２１ａの先端部２４が立体撮影アダプター３０を取り付けるための取付部となる。また、前ケース２１の上面部にはレリーズボタン２１ｂが配置されていて、該レリーズボタン２１ｂを押圧することによって後述するカメラのレリーズボタンを押圧することができるようになっている。
【００１６】
上記取付部２４の前端面の周縁部には円環状をした金属製の補強環２４ａが固定されており、該補強間２４ａの外周縁２４ｂはレンズ配置部２１ａの外周面より僅かに外方に突出されている。また、補強環２４ａの互いに１８０度離間した位置、すなわち、反対側の位置には位置決め突起２４ｃ、２４ｃが突設されている（図１、図４参照）。
【００１７】
前ケース２１の一側部の後面に後ケース２２の一側部がヒンジ部２０ａによって回動自在に連結されている。そして、後ケース２２は前ケース２１の凹部を覆うように回動された後、ロック部材２０ｂによって前ケース２１と後ケース２２の他側部同士が結合され、密閉空間２３が形成される。なお、前ケース２１と後ケース２２との間にはオーリング２５が介在されて（図４参照）、前ケース２１と後ケース２２との間の密閉度を良好に保つようになっている。
【００１８】
防水パック２０の密閉空間２３内には立体画像撮影装置としてカメラ、例えば、立体像の撮影が可能にされたデジタルカメラ（以下、単に「カメラ」と称する）４０が収容される。カメラ４０は密閉空間２３内にピッタリと、すなわち、動かない状態で収容され、撮影レンズ４１はレンズ配置部２１ａ内に位置され、また、レリーズボタン４２は防水パック２０のレリーズボタン２１ｂの真下に位置され、ストロボ発光部４３は前ケース２１の前面部を透して前方に臨んで位置される。そして、カメラ４０の液晶表示部４４は後ケース２２を透して視認可能にされ、さらに、カメラ４０に設けられている各種の操作ボタン４５等（４５以外のものは図示しない）は後ケース２２に設けられた図示しない操作ボタン及び前ケース２１の上面部に設けられた操作ボタン２１ｃを介して操作することが可能になっている。
【００１９】
そして、水中において立体画像の撮影を行うときは、防水パック２０の取付部２４に立体撮影アダプター３０を取着して行う（図２、図３参照）。
【００２０】
立体撮影アダプター３０は、図４及び図５で良く分かるように、反射面部３１と接合部３２とから成る。反射面部３１は剛性の高い材料、例えば、剛性の高いプラスチックスで形成されており、水平方向で対向するように配置されたミラー取付面部３１ａ、３１ｂと、これらミラー取付面部３１ａ、３１ｂの上縁間及び下縁間を架け渡すように形成された上面部３１ｃ及び下面部３１ｄと、上記各面部３１ａ、３１ｂ、３１ｃ、３１ｄによって筒状に形成された部分の小さい方の開口を覆うように設けられた閉塞面部３１ｅとが一体に形成されて成る支持枠体３１ｆのミラー取付面部３１ａ、３１ｂの互いに対向した面にミラー３３、３４が支持されて成る。
【００２１】
上記支持枠体３１ｆの閉塞面部３１ｅの後面、すなわち、ミラー３３、３４が配置された側と反対側には円板状をした係合部３１ｇが突設され、該係合部３１ｇの外周面には係合溝３１ｈが形成されている。そして、閉塞面部３１ｅには係合部３１ｇの部分も貫通して光を通すための透光窓３１ｉが形成されている。
【００２２】
接合部３２は弾性体、例えば、ゴム、合成ゴム等で形成されている。接合部３２はある程度の前後方向の厚さがある円環状をしており、前面に形成された閉塞面部３２ａに円形の係合孔３２ｂが形成されている。そして、閉塞面部３２ａの後面には係合孔３２ｂを挟んで互いに反対側に位置した２つの位置決め穴３２ｃ、３２ｃが形成されている。そして、該接合部３２は係合孔３２ｂの開口縁部が上記支持枠体３１ｆの係合溝３１ｈに係合される（図４参照）ことによって、結合され、上記位置決め穴３２ｃ、３２ｃとミラー３３、３４の配列方向との位置合わせをした後支持枠体３１ｆと接合部３２とを接着等の適宜手段により固定する。
【００２３】
立体撮影アダプター３０は、接合部３２が防水パック２０のレンズ配置部２１ａの先端部に設けられた取付部２４に外嵌されることによって、防水パック２０に取り付けられる。このとき、取付部２４に形成された位置決め突起２４ｃ、２４ｃが立体撮影アダプター３０の接合部３２に形成された位置決め穴３２ｃ、３２ｃに嵌合されることによって、立体撮影アダプター３０の防水パック２０に対する、詳しくは、防水パック２０内に収容されたカメラ４０の撮影レンズ４１に対して位置決めされる（図４参照）。
【００２４】
そして、上記立体撮影アダプター３０を介して撮影することによって立体画像が撮影される。この立体画像が撮影される原理について図６を参照して説明する。
【００２５】
図６は撮影レンズ４１の前玉レンズ４１ａの前側に立体撮影アダプター３０の２つのミラー３３、３４が配置された状態を示す。なお、防水パック２０の内側の媒質は空気で、防水パック２０の外側の媒質は水であり、それぞれ屈折率が異なるので、図６に示す光跡は媒質の境目で屈折するが、説明を分かりやすくするため、光の屈折については無視して説明する。
【００２６】
立体撮影アダプター３０の第１のミラー（反射面）３３は撮影レンズ４１の前玉レンズ４１ａの左半部を覆う位置に配置され、第１のミラー３３に対面した第２のミラー３４（反射面）は撮影レンズの光軸ｘを挟んで第１のミラー３３に対向した位置で、且つ、前玉レンズ４１ａへの情報の入力を妨げない位置に配置される。これによって、カメラ４０の撮像面４６、例えば、ＣＣＤ（Ｃｈａｒｇｅ　Ｃｏｕｐｌｅｄ　Ｄｅｖｉｃｅ）等の撮像素子の撮像面の右半部には左眼用画像Ｌが直接取り入れられる。すなわち、例えば、入射瞳の中心点Ｅｃにて２θの画角を以て撮影されるカメラにおいて左眼用画像Ｌは上記中心点Ｅｃに向かって直接入射され、左眼用画像Ｌとして撮像面４６の左半部に取り入れられる。一方、右眼用画像Ｒはミラー反射面３４、３３で順次反射されてから上記中心点Ｅｃに向かって入射し、右眼用画像Ｒとして撮像面４６の右半部に取り入れられる。この場合右眼用画像Ｒはミラー３４に向かって入射した光線の延長線（破線で示す）の交点Ｃに向かって入射したのと等価になり、左眼用画像Ｌと右眼用画像Ｒとの間には距離ｄのずれが生じることになる。そして、左眼用画像Ｌ及び右眼用画像Ｒそれぞれの画角はθとなる。
【００２７】
そして、立体撮影アダプター３０において、第１のミラー３３の右端部３３Ｒは撮影レンズ４１の光軸ｘ上に位置しており、その傾斜角は第２のミラー３４の傾斜角と共に、左眼用画像Ｌとほぼ同じ角度で入射する右眼用画像Ｒが入射瞳の中心点Ｅｃに入射するように決定されている。また、第２のミラー３４の左端部３４Ｌは左眼用画像Ｌの入射を妨げない限り光軸ｘに近づけて配置される。そして、水中では、空気の屈折率と水の屈折率との違いから、画角が小さくなる方に屈折が生じるので、陸上で使用する場合に比較してミラー３３、３４の左右の距離を小さくすることができる。従って、立体撮影アダプター３０を水中撮影専用に設計することによって、陸上撮影に使用する場合に比較して小型にすることができる。
【００２８】
上記のようにして得られた左眼用画像Ｌと右眼用画像Ｒとを画像処理によってそれぞれ適当な大きさに拡大し、拡大した画像を元にして、例えば、フィールドシーケンシャル表示してこれをシャッターメガネにて立体視したり（いわゆる時分割方式による立体画像表示方式）、あるいは、それぞれ同一フィールドに１水平ラインおきに表示し（いわゆる水平分割方式による立体画像表示方式）、これを偏光メガネにて立体視したり、あるいは、右眼用画像と左眼用画像を同一フィールドに１垂直ライン毎に表示してこれをレンチキュラーシート等を介して、右眼と左眼に各別に入射させて立体視したり（いわゆる垂直分割方式による立体画像表示方式）することができる。なお、何れの場合も、立体視する場合の画像は撮影時の画像に比較して拡大されるので、両画像の視差も同様に拡大される（図６における左眼用画像Ｌと右眼用画像Ｒとの間の距離ｄが視差に相当する）。
【００２９】
上記した防水パック２０及び立体撮影アダプター３０を使用することによって、水中において簡単に立体画像を得ることができる。しかも、立体撮影アダプター３０は防水パックの外側、すなわち、使用中には水中に位置することになるので、防水パック２０が嵩高になって余分な浮力が生じてしまうことが無く、水中における取扱が容易である。
【００３０】
また、上記立体撮影アダプター３０は反射面を構成するミラー３３、３４が支持される支持枠体３１ｆは比較的剛性の高い材料で形成されているので、ミラー３３、３４の相互の位置関係及び角度関係に狂いを生じることがない。
【００３１】
そして、水中、例えば、海中とか河の中などは水流があるため、防水パック２０からの突出部となる立体撮影アダプター３０は水流を受けて、あるいは、被写体の変更のために防水パック２０を動かしたり、又は、移動したりするときに、立体撮影アダプター３０が水の抵抗を受けて、立体撮影アダプター３０と防水パック２０との接合部３２に大きな応力がかかる場合がある。しかしながら、上記立体撮影アダプター３０の接合部３２は弾性材料で形成されているため、上記応力がかかった場合に変形をすることによって応力を緩和することができ、それによって、破損を免れることができる。なお、接合部３２が弾性材料で形成されていることは、上記したように、水の抵抗による立体撮影アダプター３０や防水パック２０の破損を防止する効果があるほか、立体撮影アダプター３０の防水パック２０への取付を容易にする効果がある。
【００３２】
そして、上記水中用立体撮影補助装置１０にあって、立体撮影アダプター３０は図２に示す向きから反転させた状態で防水パック２０に取り付けて使用することができるので（図３参照）、水流の強い箇所等においては、図３に示す向きにして使用することによって水流等水の抵抗を受けにくい状態で使用することができる。
【００３３】
一方、立体撮影アダプター３０を図２に示す向きで使用すると、水の抵抗は受けやすいが、立体撮影アダプター３０がカメラ４０のストロボ発光部４３の前面を遮ることがないので、ストロボを使用しての撮影が可能になる。
【００３４】
図７は本発明の別の実施の形態を示すものである。なお、この実施の形態では、立体撮影アダプターのみが上記した実施の形態における立体撮影アダプター３０と異なるので、立体撮影アダプター５０についてのみ説明する。立体撮影アダプター５０が取り付けられる防水パックは上記実施の形態における防水パック２０と同じものであるので、立体撮影アダプター５０が取り付けられるレンズ配置部２１ａ及びその先端部２４（取付部）を除き図示及び説明を省略する。
【００３５】
立体撮影アダプター５０は反射面部５１と接合部５２とから成るもであることは上記立体撮影アダプター３０と同様である。そして、反射面部５１の構成は、基本的には、特許文献１の図２、図３等に示された「２」、特許文献２の図２、図４等に示された「１３０」と同様の構成を有する。
【００３６】
反射面部５１は比較的剛性の高い材料で形成された支持枠体５１ａに複数のミラーが支持されて成る。支持枠体５１ａは前方に行くに従って互いに離間していくように傾斜されたミラー取付面部５１ｂ、５１ｂを有し、該ミラー取付面部５１ｂ、５１ｂの後縁間が後面部５１ｃによって、ミラー取付面部５１ｂ、５１ｂの上縁間及び下縁間がそれぞれ上面部５１ｄ及び下面部５１ｅによって閉塞されるように、これら面部５１ｂ、５１ｂ、５１ｃ、５１ｄ、５１ｅが一体に形成されて成る。そして、後面部５１ｃには透光窓５１ｆが形成されている。
【００３７】
そして、ミラー取付面部５１ｂ、５１ｂの内側にはミラー５３ｒ、５３ｌが取り付けられ、これらミラー５３ｒ、５３ｌと各別に対向するように位置した状態でもう一つのミラー５４ｒ、５４ｌが支持枠体５１ａに支持される。
【００３８】
そして、弾性材料から成る接合部５２が支持枠体５１ａの後面部５１ｄに取り付けられる。接合部５２は上記実施の形態における接合部３２と同様に形成されており、また、上記実施の形態におけると同様にして支持枠体５１ａに結合されている。
【００３９】
そして、接合部５２が防水パックのレンズ配置部２１ａの先端部に形成された取付部２４に外嵌されることによって、立体撮影アダプター５０は防水パック２０に取り付けられる。
【００４０】
このような４枚のミラー５３ｒ、５３ｌ、５４ｒ、５４ｌを使用して立体画像を撮影する原理は公知であり、左眼用画像Ｌはミラー５３ｌ、５４ｌにより順番に反射された後防水パック内に位置されているカメラの撮像面の左半部に取り入れられ、右眼用画像Ｒはミラー５３ｒ、５４ｒを順番に反射された後防水パック内に位置されているカメラの撮像面の右半部に取り入れられる。そして、これら画像Ｌ、Ｒが画像処理により立体画像表示方式に適合した画像として画像表示装置に表示される。
【００４１】
以上のように構成された立体撮影アダプター５０及びこれを取り付ける防水パックを使用することにより水中における立体画像の撮影を簡便に行うことができる。
【００４２】
そして、この立体撮影アダプター５０にあっては、防水パックの取付部２４に弾性材料から成る接合部５２を介して取り付けられるので、水中における撮影中に、立体撮影アダプター５０に水圧等による負荷がかかっても、該負荷による応力が接合部５２の変形によって吸収されるので、立体撮影アダプター５０やこれが取り付けられている防水パックの破損が防止される。
【００４３】
なお、上記した実施の形態において、立体撮影アダプターの反射面を支持枠体にミラーを取り付けることによって構成したが、反射面の形成は、ミラーの取付によるものに限らず、支持枠体に蒸着法等の適宜の手段によって直接反射面を形成することによっても可能である。これによって、支持枠体と別体のミラーを取り付ける場合に比較して立体撮影アダプターの軽量化が可能になる。なお、蒸着法等によって支持枠体に直接反射面を形成した場合は、該反射面の表面を適当な保護層によって覆うことが好ましい。
【００４４】
また、上記実施の形態においては、防水パックのレンズ配置部の形状を円筒形とし、接合部のレンズ配置部（先端の取付部）に外嵌される部分を円環状としたものを示したが、レンズ配置部を円筒形以外の形状、例えば角筒状とすることも可能である。例えば、レンズ配置部、従って、その先端である取付部の形状を角筒状とした場合は、これより一回り大きい角筒状をした接合部を嵌合することによって、必然的に防水パックに対する立体撮影アダプターの向きが決定されるので、レンズ配置部の先端部と接合部の形状自体が位置決め手段となり、上記した位置決め２４ｃ、２４ｃと位置決め穴３２ｃ、３２ｃのような位置決め手段を別個に設ける必要がない。そして、レンズ配置部及び接合部の互いに嵌合する部分の形状を左右対称の形状としておけば、上記したような、立体撮影アダプターを２つの反射面の配列向きが左右対称となる２つの向きでの防水パックに対する選択的な取付が可能である。なお、レンズ配置部を角筒状とする場合、先端部のみ、すなわち、立体撮影アダプターを取り付ける部分にのみ限ることが好ましい。
これは、撮影レンズの外形は一般的に円筒形であることが多いので、レンズ配置部を全体に亘って角筒状にすると、撮影レンズとの間の形状差が大きくなり、防水パック内における無駄な空間ができて、その分水中において大きな浮力が生じてしまうからである。
【００４５】
その他、上記した実施の形態において示した各部の具体的な形状及び構造は、何れも本発明を実施するに際して行う具体化のほんの一例を示したものに過ぎず、これらによって本発明の技術的範囲が限定的に解釈されることがあってはならないものである。
【００４６】
【発明の効果】
以上に記載したところから明らかなように、本発明水中用立体撮影補助装置は、立体画像撮影装置を水密に収容することができると共に収容した立体画像撮影装置を外側から操作することが可能な防水パックと該防水パックに着脱自在に装着される立体撮影アダプターとを備え、上記立体撮影アダプターは、複数の反射面の組み合わせにより、右眼用画像及び左眼用画像のうち少なくとも一方の画像を取り込むための光の光路を反射により変えることによって、視差を有する右眼用画像と左眼用画像の何れか一方を上記防水パック内に収容される立体画像撮影装置の撮像面の右半部に取り込み、他方を撮像面の左半部に取り込み得るようにしたものであることを特徴とする。
【００４７】
また、本発明立体撮影アダプターは、立体画像撮影装置を水密に収容することができると共に収容した立体画像撮影装置を外側から操作することが可能な防水パックに着脱自在に装着される立体撮影アダプターであって、複数の反射面の組み合わせにより、右眼用画像及び左眼用画像のうち少なくとも一方の画像を取り込むための光の光路を反射により変えることによって、視差を有する右眼用画像と左眼用画像の何れか一方を上記防水パック内に収容される立体画像撮影装置の撮像面の右半部に取り込み、他方を撮像面の左半部に取り込み得るようにしたことを特徴とする。
【００４８】
従って、本発明水中用立体撮影補助具及び立体撮影アダプターにあっては、これらを使用することによって、水中において立体画像を簡便に取り込むことができる。
【００４９】
また、立体撮影アダプターを水中専用のものとして構成することにより、小型化することができる。
【００５０】
請求項２及び請求項７に記載した発明にあっては、上記立体撮影アダプターは２つの反射面を備え、左右一方の眼用画像の光を反射面に反射させること無しに撮像面の左右半部のうちの一方の半部に取り込み、上記２つの反射面を上記一方の眼用画像の光を挟んで対向配置すると共に、これら２つの反射面の角度及び位置を、他方の眼用画像の光を反射させて撮像面の他方の半部に取り込み得るように設定したので、立体撮影アダプターを小型化することができる。
【００５１】
請求項３及び請求項８に記載した発明にあっては、上記立体撮影アダプターは上記２つの反射面の配列向きが左右対称となる２つの向きで上記防水パックに選択的に取り付け得るので、撮影状況に適合させ易くなり、使い勝手が向上する。
【００５２】
請求項４、請求項５、請求項９及び請求項１０に記載した発明にあっては、上記立体撮影アダプターの上記防水パックとの接合部が弾性材料で形成されていると共に、上記反射面は上記接合部より剛性の高い材料で形成された部分に設けられているので、水中撮影アダプターに水圧等の負荷がかかったときに該負荷による応力が接合部によって吸収されて、水中撮影アダプターや防水パックの破損が防止されると共に、反射面の角度や位置が狂ってしまうことがない。
【図面の簡単な説明】
【図１】図面は本発明水中用立体撮影補助装置及び立体撮影アダプターの実施の形態を示すものであり、本図は防水パックを開いた状態で防水パックと立体撮影アダプターとを分離し、且つ、カメラを添えて示す斜視図である。
【図２】防水パック内にカメラを収容し、且つ、立体撮影アダプターを防水パックに取着した状態を示す斜視図である。
【図３】立体撮影アダプターの向きを図２の状態から反転させて防水パックに取り付けた状態を示す斜視図である。
【図４】防水パック内にカメラを収容し、且つ、立体撮影アダプターを防水パックに取着した状態を示す水平断面図である。
【図５】立体撮影アダプターを分解して示す斜視図である。
【図６】立体撮影アダプターの光学的作用を説明するための光跡図である。
【図７】立体撮影アダプターの別の実施の形態を示す一部切欠斜視図である。
【符号の説明】
１０…水中用立体撮影補助装置、２０…防水パック、３０…立体撮影アダプター、３１ｆ…支持枠体（接合部より剛性の高い材料で形成された部分）、３２…接合部、３３…ミラー（反射面）、３４…ミラー（反射面）、４０…デジタルカメラ（立体画像撮影装置）、４６…撮像面、Ｌ…左眼用画像、Ｒ…右眼用画像、５０…立体撮影アダプター、５１ａ…支持枠体（接合部より剛性の高い材料で形成された部分）、５２…接合部、５３ｒ…ミラー（反射面）、５３ｌ…ミラー（反射面）、５４ｒ…ミラー（反射面）、５４ｌ…ミラー（反射面）
【図１】
2004109630.tif 000003
【図２】
2004109630.tif 000004
【図３】
2004109630.tif 000005
【図４】
2004109630.tif 000006
【図５】
2004109630.tif 000007
【図６】
2004109630.tif 000008
【図７】
2004109630.tif 000009